(57)【要約】【課題】接地導体とコネクタとを接触させることなく、放射素子に給電することを可能にして、雑音の発生を低減することが可能なアンテナを提供する。【解決手段】放射波長に比して薄い誘電体基板と、誘電体基板の表面に設けられる放射素子と、誘電体基板の裏面に設けられる接地導体と、コネクタとを備えるアンテナであって、放射素子の円形あるいは多角形形状の中心部に設けられる第１の孔と、前記第１の孔が露出するように、誘電体基板および接地導体に設けられる第１の孔よりも直径が大きい第２の孔とを有し、コネクタの外部導体が、放射素子と同種の金属で構成されるとともに、第２の孔内で放射素子に固着され、コネクタの内部導体が、第１の孔を貫通して放射素子の周辺部まで延長され、放射素子の周辺部において接地導体と電磁的に接続される。【選択図】        図２
2004172924.tif 000002
【特許請求の範囲】
【請求項１】
放射波長に比して薄い誘電体基板と、
前記誘電体基板の第１の面に設けられる、円形あるいは多角形形状から成る放射素子と、
前記誘電体基板の第１の面と反対側の第２の面に設けられる接地導体と、
内部導体と、外部導体とを有するコネクタとを備えるアンテナであって、
前記放射素子の前記円形あるいは多角形形状の中心部に設けられる第１の孔と、
前記第１の孔が露出するように、前記誘電体基板および接地導体に設けられる前記第１の孔よりも直径が大きい第２の孔とを有し、
前記コネクタの前記外部導体は、前記放射素子と同種の金属で構成されるとともに、前記第２の孔内で前記放射素子に固着され、
前記コネクタの前記内部導体は、前記第１の孔を貫通して前記放射素子の周辺部まで延長され、前記放射素子の周辺部において前記接地導体と電磁的に接続されていることを特徴とするアンテナ。
【請求項２】
前記放射素子の周辺部で、前記誘電体基板および接地導体に設けられる第３の孔と、
前記第３の孔を延長するように、前記接地導体に固着される円筒状の導電体とを有し、
前記内部導体は、前記第３の孔を介して前記円筒状の導電体の前記接地導体に固着される側と反対側の開放端まで延長され、
前記接地導体の前記誘電体基板と接する面から、前記円筒状の導電体の前記接地導体に固着される側と反対側の開放端までの長さＬは、λｏをアンテナの使用周波数の自由空間波長、εｒを前記円筒状の導電体内の誘電体の誘電率、λｇをλｇ＝λｏ／√εｒで計算される電気長とするとき、（０．８×λｇ）／４≦Ｌ≦（１．２×λｇ）／４を満足することを特徴とする請求項１に記載のアンテナ。
【請求項３】
前記誘電体基板の面積を前記接地導体よりも小さくして、前記放射素子側から見た状態で、前記誘電体基板の周囲に前記接地導体がはみ出すように、前記接地導体と前記誘電体基板とは配置され、
前記放射素子の周辺部で前記接地導体に沿わせて配置される同軸線路を有し、
前記同軸線路は、中心導体が前記放射素子の周辺部まで延長された前記内部導体に接続され、外部導体が前記誘電体基板の周囲の前記接地導体と電気的に接続され、
前記同軸線路の長さＬは、λｏをアンテナの使用周波数の自由空間波長、前記εｒを同軸線路内の誘電体の誘電率、λｇをλｇ＝λｏ／√εｒで計算される電気長とするとき、（０．８×λｇ）／４≦Ｌ≦（１．２×λｇ）／４を満足することを特徴とする請求項１に記載のアンテナ。
【請求項４】
前記放射素子の周辺部まで延長される前記内部導体の長さは、アンテナの入力インピーダンスに応じて所定の長さとされていることを特徴とする請求項１ないし請求項３のいずれか１項に記載のアンテナ。
【請求項５】
放射波長に比して薄い誘電体基板と、
前記誘電体基板の第１の面に設けられる、円形あるいは多角形形状から成る放射素子と、
前記誘電体基板の第１の面と反対側の第２の面に設けられる接地導体と、
前記放射素子および前記誘電体基板上に設けられる絶縁層と、
前記絶縁層上に、前記放射素子の円形あるいは多角形形状の中心部から前記放射素子の周辺部まで延長して設けられる第１の接続導体と、
内部導体と、外部導体とを有するコネクタとを備えるアンテナであって、
前記放射素子および前記絶縁層の、前記放射素子の円形あるいは多角形形状の中心部の位置に設けられる第１の孔と、
前記第１の孔が露出するように、前記誘電体基板および接地導体に設けられる前記第１の孔よりも直径が大きい第２の孔とを有し、
前記コネクタの前記外部導体は、前記放射素子と同種の金属で構成されるとともに、前記第２の孔内で前記放射素子に固着され、
前記コネクタの前記内部導体は、前記第１の孔を貫通して前記第１の接続導体の一端と接続され、
前記第１の接続導体の他端は、前記放射素子の周辺部において前記接地導体と電磁的に接続されていることを特徴とするアンテナ。
【請求項６】
前記放射素子の周辺部で、前記誘電体基板、前記接地導体、および前記絶縁層に設けられる第３の孔と、
前記第３の孔を延長するように、前記接地導体に固着される円筒状の導電体と、
一端が、前記接続導体の他端に接続され、他端が、前記第３の孔を介して前記円筒状の導電体の前記接地導体に固着される側と反対側の開放端まで延長される第２の接続導体とを有し、
前記接地導体の前記誘電体基板と接する面から、前記円筒状の導電体の前記接地導体に固着される側と反対側の開放端までの長さＬは、λｏをアンテナの使用周波数の自由空間波長、εｒを前記円筒状の導電体内の誘電体の誘電率、λｇをλｇ＝λｏ／√εｒで計算される電気長とするとき、（０．８×λｇ）／４≦Ｌ≦（１．２×λｇ）／４を満足することを特徴とする請求項５に記載のアンテナ。
【請求項７】
前記絶縁層の面積を前記誘電体基板および前記接地導体よりも小さくして、前記放射素子側から見た状態で、前記絶縁層の周囲に前記誘電体基板および前記接地導体がはみ出すように、前記絶縁層、接地導体、および前記誘電体基板とは配置され、
前記第１の接続導体は、前記絶縁層の周囲の前記誘電体基板上まで延長され、
前記第１の接続導体の前記誘電体基板上の長さＬは、λｏをアンテナの使用周波数の自由空間波長、εｒを前記円誘電体基板の誘電率、λｇをλｇ＝λｏ／√εｒで計算される電気長とするとき、（０．８×λｇ）／４≦Ｌ≦（１．２×λｇ）／４を満足することを特徴とする請求項５に記載のアンテナ。
【請求項８】
前記第１の接続導体の長さは、アンテナの入力インピーダンスに応じて所定の長さとされていることを特徴とする請求項５ないし請求項７のいずれか１項に記載のアンテナ。
【請求項９】
前記第１の接続導体の幅は、アンテナの入力インピーダンスに応じて部分的に異なっていることを特徴とする請求項５ないし請求項７のいずれか１項に記載のアンテナ。
【発明の詳細な説明】
【０００１】
【発明の属する技術分野】
本発明は、アンテナに係わり、特に、平面形状で、かつ、送受信共用の移動電話基地局アンテナの基本放射素子として最適なアンテナに関する。
【０００２】
【従来の技術】
マイクロストリップンテナは、構造が簡単で、形状が低姿勢であることから、移動電話基地局用の平面アンテナとして使用されている。
図１４は、移動電話基地局アンテナの基本放射素子として使用されてる従来のマイクロストリップアンテナの一例を示す概略構成を示す図であり、同図（ａ）は斜視図、同図（ｂ）は、コネクタ部分を説明するための断面図である。
同図において、２１は４角形のマイクロストリップ素子、２２は放射波長に比して薄い誘電体基板、２３は接地導体、２４は給電線（例えば、同軸ケーブル）が接続されるコネクタ、２５はコネクタ２４の内部導体、２６はコネクタ２４の外部導体、２７はリボン状の導体である。コネクタ２４の内部導体２５とマイクロストリップ素子２１とは、半田２９などにより接続される。
また、図１４に示すアンテナでは、マイクロストリップ素子２１の中心を通り直交した二直線上から給電することにより、モードが直交し、互いにほぼ独立することから、偏波共用を図ることが可能となる。
このように、従来のマイクロストリップアンテナは、円形または正方形の形状を採用することにより偏波共用が可能であるとともに、小型軽量で、薄型にできる等の利点を有している。
【０００３】
【発明が解決しようとする課題】
図１４に示すように、従来のマイクロストリップアンテナでは、コネクタ２４の外部導体２６が、半田などにより接地導体２３に固着される。この場合、一般に、コネクタ２４の内部導体２５、および外部導体２６の材料しては銅が使用される。
また、マイクロストリップ素子２１の材料としては銅が使用されるが、接地導体２３を共用し、マイクロストリップ素子２１を複数配置してアレイアンテナを構成する場合、軽量化のために、接地導体２３の材料として、例えば、アルミニウムを使用する場合がある。
したがって、このような場合には、アルミニウムから成る接地導体上に、銅から成るコネクタ２４の外部導体２６が固着される。
しかしながら、前述したような異種金属同士を固着する場合には、異種金属同士を固着した際に生じる非線形特性により、マイクロストリップアンテナで受信した受信波に相互変調雑音などが発生し、送受信共用で使用することが予定される場合に、自局の送信波によって受信性能を劣化させる恐れがあった。
【０００４】
本発明は、前記従来技術の問題点を解決するためになされたものであり、本発明の目的は、接地導体とコネクタとを接触させることなく、放射素子に給電することを可能にして、雑音の発生を低減することが可能なアンテナを提供することにある。
本発明の前記ならびにその他の目的と新規な特徴は、本明細書の記述及び添付図面によって明らかにする。
【０００５】
【課題を解決するための手段】
図１は、マイクロストリップンテナへの給電方法を説明するための模式図である。
図１４に示すマイクロストリップンテナでは、図１（ａ）に示すように、励振電力源３０の電源側端子（図１に＋が付与された端子）がマイクロストリップ素子（放射素子）２１に接続され、励振電力源３０のグランド側端子（図１に−が付与された端子）が接地導体２３に接続される。
しかしながら、図１（ｂ）に示すように、励振電力源３０の電源側端子（図１に＋が付与された端子）を接地導体２３に接続し、励振電力源３０のグランド側端子（図１に−が付与された端子）をマイクロストリップ素子２１に接続してもよい。
本発明では、マイクロストリップ素子とコネクタとが同種の金属で構成されることに着目し、前述の原理を応用し、コネクタの外部導体をマイクロストリップ素子に固着し、かつ、コネクタの内部導体を、マイクロストリップ素子の周辺部まで延長し、マイクロストリップ素子の周辺部において電磁的に接地導体に接続したものである。
本発明によれば、接地導体上にコネクタを固着する必要がなく、異種金属同士の接触がなくなるので、雑音の発生を低減することが可能となる。
【０００６】
【発明の実施の形態】
以下、図面を参照して本発明の実施の形態を詳細に説明する。
なお、実施の形態を説明するための全図において、同一機能を有するものは同一符号を付け、その繰り返しの説明は省略する。
［実施の形態１］
図２は、本発明の実施の形態１のマイクロストリップアンテナの概略構成を示す図であり、同図（ａ）は斜視図、同図（ｂ）は、同図（ａ）に示すＡ−Ａ’切断線における断面図である。
同図において、１は４角形のマイクロストリップ素子（本発明の放射素子）、２は放射波長に比して薄い誘電体基板、３は接地導体、４は給電線（例えば、同軸ケーブル）が接続される給電線との接続手段（以下、コネクタという。）、５はコネクタ４の内部導体、６はコネクタ４の外部導体である。
本実施の形態では、マイクロストリップ素子１の中心部に第１の孔３１が形成され、誘電体基板２および接地導体３には、第１の孔３１が露出するように、第１の孔３１よりも直径が大きい第２の孔３２が形成される。
そして、この第２の孔３２で、コネクタ４の外部導体６が、マイクロストリップ素子１に固着される。
この場合に、マイクロストリップ素子１とコネクタの外部導体６とは、同種の金属（例えば、銅）で構成されるので、本実施の形態では、前述したような、異種金属同士を固着した際に生じる非線形特性により、マイクロストリップアンテナで受信した受信波に相互変調雑音が発生することがない。
なお、本実施の形態において、マイクロストリップ素子１は、コネクタの外部導体６を固着しても十分な強度を有していることはいうまでもない。
【０００７】
誘電体基板２と接地導体３における、マイクロストリップ素子１の周辺部の位置には、第３の孔３３が形成され、さらに、この第３の孔３３を延長するように、接地導体３には、円筒状の導電体７が形成される。
そして、図２に示すように、コネクタ４の内部導体５は、第１の孔３１を貫通した後、マイクロストリップ素子１と平行に、マイクロストリップ素子１の周辺部まで延長され、そして、第３の孔３３を介して、円筒状の導電体７の開口端で開放終端される。
例えば、マイクロストリップアンテナ１の端部と接地導体３との仮想的な入力インピーダンスが純抵抗となる場合には、接地導体３の誘電体基板２と接する面から、円筒状の導電体７の接地導体３に固着される側と反対側の開放端までの長さＬは、λｇ／４（Ｌ＝λｇ／４）とされる。
ここで、λｇはλｇ＝λｏ／√εｒで計算される電気長、λｏはアンテナの使用周波数の自由空間波長、εｒは円筒状の導電体内の誘電体の誘電率である。
終端開放の（λｇ／４）線路は、接地電位に短絡されている状態と等価であるので、コネクタ４の内部導体５は、電磁的に接地導体３に接続されることになる。
このように、本実施の形態では、接地導体３と機械的に接続することなく、図１（ｂ）に示す給電方法を実現することが可能となる。
なお、マイクロストリップ素子１の中央部は、マイクロストリップ素子１の内部電磁界分布で電界が最小となる部分であるので、この部分に、コネクタ４の外部導体６を固着しても、マイクロストリップアンテナの特性に何ら影響を与えることはない。
さらに、接地導体３の誘電体基板２と接する面から、円筒状の導電体７の接地導体３に固着される側と反対側の開放端までの長さＬは、マイクロストリップアンテナ１の入力インピーダンスとの整合回路を兼ねることができるため、必ずしもλｏ／４である必要はなく、（０．８×λｇ）／４≦Ｌ≦（１．２×λｇ）／４を満足すれば、前述の効果を得ることが可能である。
【０００８】
図３ないし図５は、本発明の実施の形態１のマイクロストリップアンテナの変形例の概略構成を示す斜視図である。
図３に示すマイクロストリップアンテナは、図１４に示すマイクロストリップアンテナと同様に、マイクロストリップ素子１の中心を通り直交した二直線上から給電するようにしたものであり、図３に示すマイクロストリップアンテナは、偏波共用を図ることが可能となる。
また、図４に示すマイクロストリップアンテナは、マイクロストリップ素子１として円形のマイクロストリップ素子を使用したものである。
さらに、図５に示すマイクロストリップアンテナは、マイクロストリップ素子１として円形のマイクロストリップ素子を使用し、かつ、マイクロストリップ素子１の中心を通り直交した二直線上から給電するようにしたものである。
これらのマイクロストリップアンテナでも、その給電方法は、図２に示すマイクロストリップアンテナと同様であるので、その詳細な説明は省略する。
但し、本実施の形態、あるいは、以下の実施の形態において、マイクロストリップ素子１は、４角形のマイクロストリップ素子に限定されるものではなく、多角形のマイクロストリップ素子を使用してもよい。
【０００９】
［実施の形態２］
図６は、本発明の実施の形態２のマイクロストリップアンテナの概略構成を示す図であり、同図（ａ）は斜視図、同図（ｂ）は、同図（ａ）に示すＡ−Ａ’切断線における断面図である。
以下、本実施の形態のマイクロストリップアンテナについて、前述の実施の形態１のマイクロストリップアンテナとの相異点を中心に説明する。
本実施の形態では、マイクロストリップ素子上に絶縁層１０が設けられ、この絶縁層上に第１の接続導体１１が設けられる。また、第１の孔３１、および第３の孔３３は、絶縁層１０も貫通するように形成される。
図６に示すように、コネクタ４の内部導体５は、第１の孔３１を貫通した後、第１の接続導体１１の一端と半田１３により接続される。また、第１の接続導体１１の端部は、半田１３により、第２の接続導体１２に接続される。
この第２の接続導体１２は、第３の孔３３を介して、円筒状の導電体７の開口端で開放終端される。
即ち、本実施の形態は、前述の実施の形態１において、コネクタ４の内部導体５のマイクロストリップ素子１と平行な部分を、第１の接続導体１１で置換したものである。
本実施の形態においても、接地導体３の誘電体基板２と接する面から、円筒状の導電体７の接地導体３に固着される側と反対側の開放端までの長さＬは、（０．８×λｇ）／４≦Ｌ≦（１．２×λｇ）／４とされ、これにより、本実施の形態においても、前述の実施の形態１と同様の作用・効果を得ることが可能となる。
【００１０】
図７ないし図１０は、本発明の実施の形態２のマイクロストリップアンテナの変形例の概略構成を示す斜視図である。
図７に示すマイクロストリップアンテナは、図１４に示すマイクロストリップアンテナと同様に、マイクロストリップ素子１の中心を通り直交した二直線上から給電するようにしたものである。
また、図８に示すマイクロストリップアンテナは、マイクロストリップ素子１として円形のマイクロストリップ素子を使用したものである。
さらに、図９に示すマイクロストリップアンテナは、マイクロストリップ素子１として円形のマイクロストリップ素子を使用し、かつ、マイクロストリップ素子１の中心を通り直交した二直線上から給電するようにしたものである。
これらのマイクロストリップアンテナでも、その給電方法は、図２に示すマイクロストリップアンテナと同様であるので、その詳細な説明は省略する。
また、図１０に示すマイクロストリップアンテナは、コネクタ４に接続される給電線と整合を図るために、第１の接続導体１１の幅を部分的に異ならせたものである。
図１０に示すように、第１の接続導体１１の幅を部分的に異ならせ、かつ、当該部分的に異ならせる第１の接続導体１１の幅を変化させることにより、マイクロストリップ素子１の入力インピーダンスを任意の値に調整することができる。
【００１１】
［実施の形態３］
図１１は、本発明の実施の形態３のマイクロストリップアンテナの概略構成を示す図であり、同図（ａ）は斜視図、同図（ｂ）は、同図（ａ）に示すＡ−Ａ’切断線における断面図である。
以下、本実施の形態のマイクロストリップアンテナについて、前述の実施の形態１のマイクロストリップアンテナとの相異点を中心に説明する。
本実施の形態では、マイクロストリップ素子側から見たときに、誘電体基板２から接地導体３がはみ出すように、誘電体基板２の面積を、接地導体３の面積よりも小さくしたもの、即ち、誘電体基板２を、マイクロストリップ素子１よりやや大きく形成したものである。
また、本実施の形態では、前述の実施の形態１の第３の孔３３、および円筒状の導電体７は削除される。
その代わりに、本実施の形態では、図１１に示すように、コネクタ４の内部導体５は、第１の孔３１を貫通し、マイクロストリップ素子１と平行に、マイクロストリップ素子１の周辺部まで延長された後に、接地導体３に沿わせて配置される同軸線路９の開口端で開放終端される。
ここで、同軸線路９の中心導体はコネクタ４の内部導体５に接続され、同軸線路９の外部導体は接地導体３に電気的に接続されている。
この場合に、同軸線路９の長さＬは、λｇ／４（Ｌ＝λｇ／４）とされる。ここで、λｇは、λｇ＝λｏ／√εｒで計算される電気長、λｏはマイクロストリップアンテナの使用周波数の自由空間波長、εｒは同軸線路内の誘電体の誘電率である。
終端開放の（λｇ／４）線路は、接地電位に短絡されている状態と等価であるので、コネクタ４の内部導体５は、電磁的に接地導体３に接続されることになる。
このように、本実施の形態においても、前述の実施の形態１と同様の作用・効果を得ることが可能となる。
なお、同軸線路９の長さＬは、必ずしもλｇ／４である必要はなく、同軸線路９の長さＬは、（０．８×λｇ）／４≦Ｌ≦（１．２×λｇ）／４を満足すれば、前述の効果を得ることが可能である。
【００１２】
また、コネクタ４の内部導体５を、マイクロストリップ素子１と平行に、マイクロストリップ素子１の周辺部まで延長させる代わりに、図１１（ｂ）に点線で示すように、コネクタ４に接続される給電線との整合を図るために、コネクタ４の内部導体５を、マイクロストリップ素子１に対して傾斜させて、マイクロストリップ素子１の周辺部まで延長させるようにしてもよい。
図１１（ｂ）に点線で示すように、コネクタ４の内部導体５を、マイクロストリップ素子１に対して傾斜させて、マイクロストリップ素子１の周辺部まで延長させることにより、内部導体５の長さを任意の長さに調整することができ、これにより、マイクロストリップ素子１の入力インピーダンスを任意の値に調整することができる。なお、これは、前述の実施の形態１でも同様である。
図１２は、本発明の実施の形態３のマイクロストリップアンテナの変形例の概略構成を示す斜視図である。
図１２に示すマイクロストリップアンテナは、コネクタ４の内部導体５がマイクロストリップ素子１と接触することがないように、コネクタ４の内部導体５を絶縁スリーブ８で覆うようにしたものである。
【００１３】
［実施の形態４］
図１３は、本発明の実施の形態４のマイクロストリップアンテナの概略構成を示す図であり、同図（ａ）は平面図、同図（ｂ）は、同図（ａ）に示すＡ−Ａ’切断線における断面図である。
以下、本実施の形態のマイクロストリップアンテナについて、前述の実施の形態３のマイクロストリップアンテナとの相異点を中心に説明する。
本実施の形態では、マイクロストリップ素子上に絶縁層１０が設けられ、この絶縁層上に第１の接続導体１１が設けられる。また、第１の孔３１は、絶縁層１０も貫通するように形成される。
図１３に示すように、コネクタ４の内部導体５は、第１の孔３１を貫通した後、第１の接続導体１１の一端と半田１３により接続される。また、第１の接続導体１１の他端は、絶縁層１０を越えて誘電体基板上を延長されて開放終端される。
この場合に、第１の接続導体１１の誘電体基板上の長さＬは、λｇ／４（Ｌ＝λｇ／４）とされる。ここで、λｇは、λｇ＝λｏ／√εｒで計算される電気長、λｏは、マイクロストリップアンテナの使用周波数の自由空間波長、εｒは、誘電体基板２の誘電率である。
これにより、本実施の形態においても、前述の実施の形態１と同様の作用・効果を得ることが可能となる。
【００１４】
なお、第１の接続導体１１の誘電体基板上の長さＬは、必ずしもλｇ／４である必要はなく、第１の接続導体１１の誘電体基板上の長さＬは、（０．８×λｇ）／４≦Ｌ≦（１．２×λｇ）／４を満足すれば、前述の効果を得ることが可能である。
また、図１３に点線で示すように、コネクタ４に接続される給電線と整合を図るために、第１の接続導体１１を迂回させるようにしてもよい。
図１３に点線で示すように、第１の接続導体１１を迂回させることにより、第１の接続導体１１の長さを任意の長さに調整することができ、これにより、マイクロストリップ素子１の入力インピーダンスを任意の値に調整することができる。なお、これは、前述の実施の形態２でも同様である。
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００１５】
【発明の効果】
本願において開示される発明のうち代表的なものによって得られる効果を簡単に説明すれば、下記の通りである。
本発明のアンテナによれば、異種金属同士を接触させることなく、放射素子に給電することが可能となり、雑音の発生を低減することが可能となる。
【図面の簡単な説明】
【図１】マイクロストリップンテナへの給電方法を説明するための模式図である。
【図２】本発明の実施の形態１のマイクロストリップアンテナの概略構成を示す図である。
【図３】本発明の実施の形態１のマイクロストリップアンテナの変形例の概略構成を示す斜視図である。
【図４】本発明の実施の形態１のマイクロストリップアンテナの変形例の概略構成を示す斜視図である。
【図５】本発明の実施の形態１のマイクロストリップアンテナの変形例の概略構成を示す斜視図である。
【図６】本発明の実施の形態２のマイクロストリップアンテナの概略構成を示す図である。
【図７】本発明の実施の形態２のマイクロストリップアンテナの変形例の概略構成を示す斜視図である。
【図８】本発明の実施の形態２のマイクロストリップアンテナの変形例の概略構成を示す斜視図である。
【図９】本発明の実施の形態２のマイクロストリップアンテナの変形例の概略構成を示す斜視図である。
【図１０】本発明の実施の形態２のマイクロストリップアンテナの変形例の概略構成を示す斜視図である。
【図１１】本発明の実施の形態３のマイクロストリップアンテナの概略構成を示す図である。
【図１２】本発明の実施の形態３のマイクロストリップアンテナの変形例の概略構成を示す斜視図である。
【図１３】本発明の実施の形態４のマイクロストリップアンテナの概略構成を示す図である。
【図１４】従来のマイクロストリップアンテナの一例を示す概略構成を示す図である。
【符号の説明】
１，２１…マイクロストリップ素子、２，２２…誘電体基板、３，２３…接地導体、４，２４…コネクタ、５，２５…内部導体、６，２６…外部導体、７…円筒状の導電体、８…絶縁スリーブ、９…同軸線路、１０…絶縁層、１１，１２…接続導体、１３，２９…半田、２７…リボンの導体、３０…励振電力源、３１，３２，３３…孔。
【図１】
2004172924.tif 000003
【図２】
2004172924.tif 000004
【図３】
2004172924.tif 000005
【図４】
2004172924.tif 000006
【図５】
2004172924.tif 000007
【図６】
2004172924.tif 000008
【図７】
2004172924.tif 000009
【図８】
2004172924.tif 000010
【図９】
2004172924.tif 000011
【図１０】
2004172924.tif 000012
【図１１】
2004172924.tif 000013
【図１２】
2004172924.tif 000014
【図１３】
2004172924.tif 000015
【図１４】
2004172924.tif 000016